【手続補正書】
【提出日】平成17年10月26日(2005.10.26)
【手続補正１】
【補正対象書類名】明細書
【補正対象項目名】発明の名称
【補正方法】変更
【補正の内容】
【発明の名称】印刷システム、外部操作装置、情報処理装置、データ処理方法、記憶媒体
【手続補正２】
【補正対象書類名】明細書
【補正対象項目名】特許請求の範囲
【補正方法】変更
【補正の内容】
【特許請求の範囲】
【請求項１】
外部操作装置および、前記外部操作装置と通信するホストコンピュータ、および前記ホストコピュータと通信するプリンタとで構成される印刷システムであって、
前記外部操作装置は、
ユーザから印刷設定指示を受け取る操作パネルと、
前記操作パネルへの指示が行われる度に、前記印刷設定指示に応じた割り込みイベントを発生するコントローラと、
記憶媒体から画像データを読み出す読出し手段とを有し、
前記ホストコンピュータは、
読み出された前記画像データを受信する受信部と、
前記外部操作装置からの割り込みイベントを受信し、前記受信部で受信した画像データに、前記印刷設定指示を反映したプレビュー表示を行わせる表示制御部と、
前記印刷設定指示に応じた印刷データを生成する印刷制御部とを有し、
前記プリンタは、前記ホストコンピュータから出力された印刷データを印刷することを特徴とする印刷システム。
【請求項２】
前記コントローラは、印刷開始の指示に応じた割り込みイベントを発生させることを特徴とする請求項１記載の印刷システム。
【請求項３】
前記印刷制御部は、前記印刷開始指示に応じた割り込みイベントを受信したことに応じて、それまでに受信した複数の割り込みイベントで受信した印刷設定を反映させた印刷データを前記プリンタに出力することを特徴とする請求項２記載の印刷システム。
【請求項４】
前記ホストコンピュータは、前記操作パネルへの操作の毎に生成される割り込みイベントに対応する印刷設定に応じて、前記プレビュー表示を更新することを特徴とする請求項１乃至３のいずれかに記載の印刷システム。
【請求項５】
少なくとも画像データ及び割り込みイベントを受信する受信部と、前記受信部で受信した画像データに印刷設定を反映させたプレビュー表示を行わせる表示制御部と、前記印刷設定に応じた印刷データを生成してプリンタに出力する印刷制御部とを有するホストコンピュータ、及びプリンタとで構成される印刷システムに用いる外部操作装置であって、
ユーザから印刷設定指示を受け取る操作パネルと、
前記操作パネルへの前記印刷設定指示に応じた割り込みイベントを発生するコントローラと、
接続されている記憶媒体から画像データを読み出す読出し手段と、
前記割り込みイベント及び読み出された画像データとを前記ホストコンピュータに送信する送信手段とを有することを特徴とする外部操作装置。
【請求項６】
さらに、印刷開始を指示するための指示部を有し、前記コントローラは、前期指示部への印刷開始の指示に応じた割り込みイベントを発生させることを特徴とする請求項５記載の外部操作装置。
【請求項７】
前記印刷制御部は、前記印刷開始の指示に応じた割り込みイベントを受信したことに応じて、それまでに受信した複数の割り込みイベントで受信した印刷設定を反映させた印刷データを前記プリンタに出力することを特徴とする請求項６記載の外部操作装置。
【請求項８】
前記ホストコンピュータは、前記操作パネルへの操作の毎に生成される割り込みイベントに対応する印刷設定に応じて、前記プレビュー表示を更新することを特徴とする請求項５乃至７のいずれかに記載の外部操作装置。
【請求項９】
ユーザから印刷設定指示を受け取る操作パネルと、前記操作パネルへの指示が行われる度に前記印刷設定指示に応じた割り込みイベントを発生するコントローラと、接続されている記憶媒体から画像データを読み出す読出し手段とを有する外部操作装置、および、プリンタと通信可能な情報処理装置であって、
画像データ及び割り込みイベントを受信する受信部と、
前記受信部で受信した画像データに印刷設定指示を反映させたプレビュー表示を行わせる表示制御部と、
前記印刷設定指示に応じた印刷データを生成してプリンタに出力する印刷制御部とを有することを特徴とする情報処理装置。
【請求項１０】
前記コントローラから、印刷開始の指示に応じた割り込みイベントを受信することを特徴とする請求項９記載の情報処理装置。
【請求項１１】
前記印刷制御部は、前記印刷開始の指示に応じた割り込みイベントを受信したことに応じて、それまでに受信した複数の割り込みイベントで受信した印刷設定を反映させた印刷データを前記プリンタに出力することを特徴とする請求項１０記載の情報処理装置。
【請求項１２】
前記表示制御部は、前記操作パネルへの操作の毎に生成される割り込みイベントに対応する印刷設定に応じて、前記プレビュー表示を更新することを特徴とする請求項９乃至１１のいずれかに記載の情報処理装置。
【請求項１３】
少なくとも画像データ及び割り込みイベントを受信する受信部と、前記受信部で受信した画像データに印刷設定指示を反映させたプレビュー表示を行わせる表示制御部と、前記印刷設定指示に応じた印刷データを生成して、プリンタに出力する印刷制御部とを有するホストコンピュータ、及びプリンタとで構成される印刷システムに用いられる外部操作装置におけるデータ処理方法であって、
ユーザから印刷設定指示を受け取る操作パネルへの指示に応じた割り込みイベントを発生する発生ステップと、
接続されている記憶媒体から画像データを読み出す読出しステップと、
前記割り込みイベント及び読み出された画像データとを送信する送信ステップとを有することを特徴とするデータ処理方法。
【請求項１４】
前記発生ステップは、外部操作装置の有する、印刷開始を指示する開始指示部への指示に応じた割り込みイベントを発生させることを特徴とする請求項１３記載のデータ処理方法。
【請求項１５】
前記印刷制御部は、前記印刷開始指示に応じた割り込みイベントを受信したことに応じて、それまでに受信した複数の割り込みイベントで受信した印刷設定を反映させた印刷データを前記プリンタに出力することを特徴とする請求項１３記載のデータ処理方法。
【請求項１６】
前記ホストコンピュータは、前記操作パネルへの操作の毎に生成される割り込みイベントに対応する印刷設定に応じて、前記プレビュー表示を更新することを特徴とする請求項１３乃至１５のいずれかに記載のデータ処理方法。
【請求項１７】
ユーザから印刷設定指示を受け取る操作パネルと、前記操作パネルへの指示が行われる度に前記印刷設定指示に応じた割り込みイベントを発生するコントローラと、接続されている記憶媒体から画像データを読み出す読出し手段とを有する外部操作装置と、プリンタと通信可能な情報処理装置におけるデータ処理方法であって、
画像データ及び割り込みイベントを受信する受信ステップと、
前記受信ステップで受信した画像データに印刷設定指示を反映させたプレビュー表示を行わせる表示制御ステップと、
前記印刷設定指示に応じた印刷データを生成して、プリンタに出力する印刷制御ステップとを有することを特徴とするデータ処理方法。
【請求項１８】
前記コントローラから、印刷開始の指示に応じた割り込みイベントを受信することを特徴とする請求項１７記載のデータ処理方法。
【請求項１９】
前記印刷制御ステップは、前記印刷開始の指示に応じた割り込みイベントを受信したことに応じて、それまでに受信した複数の割り込みイベントで受信した印刷設定を反映させた印刷データを前記プリンタに出力することを特徴とする請求項１７記載のデータ処理方法。
【請求項２０】
前記表示制御ステップは、前記操作パネルへの操作の毎に生成される割り込みイベントに対応する印刷設定に応じて、前記プレビュー表示を更新することを特徴とする請求項１７乃至１９のいずれかに記載のデータ処理方法。
【請求項２１】
請求項１３または１７に記載のデータ処理方法をコンピュータに実行させるためのプログラムを格納したことを特徴とするコンピュータが読み取り可能な記憶媒体。
【手続補正３】
【補正対象書類名】明細書
【補正対象項目名】０００１
【補正方法】変更
【補正の内容】
【０００１】
本発明は、外部操作装置および、前記外部操作装置と通信するホストコンピュータ、および前記ホストコピュータと通信するプリンタとで構成される印刷システムに関するものである。
【手続補正４】
【補正対象書類名】明細書
【補正対象項目名】０００７
【補正方法】変更
【補正の内容】
【０００７】
本発明は、上記の問題点を解決するためになされたもので、本発明の目的は、外部操作装置が備える操作パネルからの操作指示をリアルタイムに反映して、外部操作装置に装着されるメモリカード内の画像データの印刷プレビューをホストコンピュータ側の表示装置がユーザが高画質で閲覧できる利便性に優れ、かつ安価で高速なプレビューシステムを構築できる。
【手続補正５】
【補正対象書類名】明細書
【補正対象項目名】０００８
【補正方法】変更
【補正の内容】
【０００８】
【課題を解決するための手段】
本発明に係る印刷システムは、以下の特徴的構成を備える。
外部操作装置および、前記外部操作装置と通信するホストコンピュータ、および前記ホストコピュータと通信するプリンタとで構成される印刷システムであって、前記外部操作装置は、ユーザから印刷設定指示を受け取る操作パネルと、前記操作パネルへの指示が行われる度に、前記印刷設定指示に応じた割り込みイベントを発生するコントローラと、記憶媒体から画像データを読み出す読出し手段とを有し、前記ホストコンピュータは、読み出された前記画像データを受信する受信部と、前記外部操作装置からの割り込みイベントを受信し、前記受信部で受信した画像データに、前記印刷設定指示を反映したプレビュー表示を行わせる表示制御部と、前記印刷設定指示に応じた印刷データを生成する印刷制御部とを有し、前記プリンタは、前記ホストコンピュータから出力された印刷データを印刷することを特徴とする。
【手続補正６】
【補正対象書類名】明細書
【補正対象項目名】０１０２
【補正方法】変更
【補正の内容】
【０１０２】
【発明の効果】
以上説明したように、本発明によれば、外部操作装置が備える操作パネルからの操作指示をリアルタイムに反映して、外部操作装置に装着されるメモリカード内の画像データの印刷プレビューをホストコンピュータ側の表示装置がユーザが高画質で閲覧できる利便性に優れ、かつ安価で高速なプレビューシステムを構築できる。